【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
記録紙束の端部に接着剤を塗布して表紙を接着することで製本処理を行う製本装置において、
前記接着剤を加熱する加熱手段と、
前記接着剤の温度を検知する温度検知手段と、
前記加熱手段により所定の温度に加熱された接着剤を前記記録紙束の端部に塗布する塗布手段と、
前記製本装置の電源投入時に前記接着剤が塗布されていない記録紙束が前記製本装置の内部に存在するか否かを判断する判断手段と、
前記判断手段により前記製本装置の電源投入時に前記接着剤が塗布されていない記録紙束が前記製本装置の内部にないと判断された場合は、電源投入後に前記製本装置の内部に搬送される記録紙束に対して、前記温度検知手段により前記接着剤の温度が第１の温度になったことが検知された後に前記塗布手段により接着剤を塗布させ、前記製本装置の電源投入時に前記接着剤が塗布されていない記録紙束が前記製本装置の内部にあると判断された場合は、前記温度検知手段により前記接着剤の温度が前記第１の温度よりも低い第２の温度になったことが検知された後に前記塗布手段により前記記録紙束に接着剤を塗布させる制御手段と、
を備えることを特徴とする製本装置。
【請求項２】
更に、前記加熱手段により加熱される接着剤を攪拌する攪拌手段を備え、
前記制御手段は、前記判断手段により前記製本装置の電源投入時に接着剤が塗布されていない記録紙束が前記製本装置の内部にないと判断される場合は、前記攪拌手段により前記接着剤を第１の時間攪拌させ、前記判断手段により前記製本装置の電源投入時に接着剤が塗布されていない記録紙束が前記製本装置の内部にあると判断される場合は、前記攪拌手段により前記接着剤を前記第１の時間よりも短い第２の時間攪拌させることを特徴とする請求項１記載の製本装置。
【請求項３】
接着剤を塗布すべき記録紙束を積載する積載手段と、
前記積載手段への記録紙束の積載の状態、前記塗布手段による記録紙束への接着剤の塗布の状態の少なくとも１つを含む前記製本装置の動作状態を記憶する記憶手段と、を備え、
前記判断手段は、前記記憶手段に記憶されている前記動作状態に基づき、前記製本装置の電源投入時に接着剤が塗布されていない記録紙束が前記製本装置の内部に存在するか否かを判断することを特徴とする請求項１記載の製本装置。
【請求項４】
前記塗布手段により接着剤が塗布された記録紙束に表紙を接着する表紙接着手段を備え、
前記製本装置の電源投入時に前記接着剤が塗布されていない記録紙束が前記製本装置の内部にあると判断された場合、前記制御手段は、前記塗布手段による接着剤の塗布後、前記表紙接着手段により表紙を接着することなく前記記録紙束を排出させることを特徴とする請求項１記載の製本装置。
【請求項５】
請求項１〜４の何れかに記載の製本装置を有し、画像を形成した複数の記録紙を前記製本装置で製本することを特徴とする画像形成装置。
【請求項６】
記録紙束の端部に接着剤を塗布して表紙を接着することで製本処理を行う製本装置の制御方法において、
前記製本装置の電源投入時に前記接着剤が塗布されていない記録紙束が前記製本装置の内部に存在するか否かを判断する判断工程と、
前記判断工程により前記製本装置の電源投入時に前記接着剤が塗布されていない記録紙束が前記製本装置の内部にないと判断された場合は、電源投入後に前記製本装置の内部に搬送される記録紙束に対して、前記接着剤の温度が第１の温度になった後に接着剤を塗布させ、前記製本装置の電源投入時に前記接着剤が塗布されていない記録紙束が前記製本装置の内部にあると判断された場合は、前記接着剤の温度が前記第１の温度よりも低い第２の温度になった後に前記記録紙束に接着剤を塗布させる制御工程と、を有することを特徴とする制御方法。
【手続補正２】
【補正対象書類名】明細書
【補正対象項目名】００１０
【補正方法】変更
【補正の内容】
【００１０】
上述の目的を達成するために、本発明は、記録紙束の端部に接着剤を塗布して表紙を接着することで製本処理を行う製本装置において、前記接着剤を加熱する加熱手段と、前記接着剤の温度を検知する温度検知手段と、前記加熱手段により所定の温度に加熱された接着剤を前記記録紙束の端部に塗布する塗布手段と、前記製本装置の電源投入時に前記接着剤が塗布されていない記録紙束が前記製本装置の内部に存在するか否かを判断する判断手段と、前記判断手段により前記製本装置の電源投入時に前記接着剤が塗布されていない記録紙束が前記製本装置の内部にないと判断された場合は、電源投入後に前記製本装置の内部に搬送される記録紙束に対して、前記温度検知手段により前記接着剤の温度が第１の温度になったことが検知された後に前記塗布手段により接着剤を塗布させ、前記製本装置の電源投入時に前記接着剤が塗布されていない記録紙束が前記製本装置の内部にあると判断された場合は、前記温度検知手段により前記接着剤の温度が前記第１の温度よりも低い第２の温度になったことが検知された後に前記塗布手段により前記記録紙束に接着剤を塗布させる制御手段と、を備えることを特徴とする。
【手続補正３】
【補正対象書類名】明細書
【補正対象項目名】００１１
【補正方法】変更
【補正の内容】
【００１１】
本発明によれば、製本装置の電源投入時に接着剤が塗布されていない記録紙束が製本装置内にない場合は、電源投入後に製本装置の内部に搬送される記録紙束に対して、温度検知手段により接着剤の温度が第１の温度になったことが検知された後に塗布手段により接着剤を塗布させる。製本装置の電源投入時に接着剤が塗布されていない記録紙束が製本装置内にある場合は、温度検知手段により接着剤の温度が第１の温度よりも低い第２の温度になったことが検知された後に塗布手段により記録紙束に接着剤を塗布させる。これにより、記録紙束に接着剤を塗布する前に製本装置の電源が切断された場合に、電源が投入されてから接着剤の加熱に掛かる時間を短縮することが可能となる。その結果、電源投入時に製本装置の内部に接着剤を塗布する前の記録紙束が残留していた場合に記録紙束の排出完了までの時間を短縮することが可能となる。
【手続補正４】
【補正対象書類名】明細書
【補正対象項目名】００７６
【補正方法】変更
【補正の内容】
【００７６】
図８において、最初のステータスは、断裁部３１１から束積載部３１２へ断裁済みの記録紙束の受け渡しを行う前の束積載部３１２に記録紙束が無い状態を示す「束無し」となる（ステップＳ８０１）。その後ステータスは、積載板２７５を斜めに倒して記録紙束を受け取りを示す「束受け取り中」になる（ステップＳ８０２）。その後、トリムグリッパ２７１から記録紙束の受け取りが完了すると、ステータスは、積載板２７５を立てることで記録紙束を積載板２７５上で起こすことを示す「束起こし中」になる（ステップＳ８０３）。
【手続補正５】
【補正対象書類名】明細書
【補正対象項目名】００８５
【補正方法】変更
【補正の内容】
【００８５】
くるみ製本機の電源をＯＮした直後の時点では糊桶２６８内の糊が冷えて固まっているため、そのままでは表紙と本文用記録紙束を接着できない。そこで、糊を塗布するための準備動作として、ヒータ１００１により糊桶２６８内の糊を暖めて溶かしている。ＣＰＵ３０１は、糊準備部３０８により、温度センサ１００３により測定した糊の温度が糊付け処理に適する設定された目標温度に到達するまでヒータ１００１のＯＮ／ＯＦＦを制御することで糊の加熱溶解処理を行う。
【手続補正６】
【補正対象書類名】明細書
【補正対象項目名】００８８
【補正方法】変更
【補正の内容】
【００８８】
しかし、糊桶２６８内の温度センサ１００３の近辺の糊が暖まっているだけでは糊付けはできない。即ち、糊桶２６８内で糊が十分に溶けているのはヒータ１００１の周囲だけであり、糊桶２６８全体に熱を伝える必要がある。そこで、温度センサ１００３により測定した糊の温度が目標温度に到達した時点で、糊桶２６８内の糊の温度が均一になるように撹拌ローラ１００２により例えば３０秒間撹拌する撹拌処理を行う。この撹拌処理が完了した時点で糊の準備が完了する。第１の準備動作での撹拌処理における糊の撹拌時間よりも上記第２の準備動作での攪拌時間のほうが短く設定されている。
【手続補正７】
【補正対象書類名】明細書
【補正対象項目名】０１０３
【補正方法】変更
【補正の内容】
【０１０３】
ステップＳ１３０５で、積載処理状態５００のステータスが「中紙積載中」でない場合は、ＣＰＵ３０１は、積載処理状態５００のステータスが「束移動中」か否かを判断する（ステップＳ１３０８）。積載処理状態５００のステータスが「束移動中」である場合、ＣＰＵ３０１は、くるみ製本機内に糊付け前の記録紙束が残留しているものと判断する。これに伴い、ＣＰＵ３０１は、くるみ製本機の復帰方法として、記録紙束に表紙を接着せずに記録紙束の端部に糊を付けて排出する方法（表紙無し排出）を選択する（ステップＳ１３１０）。
【手続補正８】
【補正対象書類名】明細書
【補正対象項目名】０１１５
【補正方法】変更
【補正の内容】
【０１１５】
この表紙無し排出モードにおける糊の目標温度は、図１１に示すように通常の製本処理で用いる記録紙束の厚さから決定される目標温度より低い温度になり、記録紙束の厚さによらず１４０℃に設定している（図１１に１点鎖線で示す）。即ち、第２の準備動作が行われる。これにより、糊桶２６８内の糊の温度が目標温度に到達するまでの時間が通常時に比べて短縮される。